(57)【要約】【課題】  ハーネスカバー部品の汎用性を確保しつつ、ハーネスカバーの上側の端部をルーフトリムに単に突き当てた構造でも、ルーフトリムに対し位置決め固定させることができるルームミラー用ハーネスカバーの取り付け構造の提供。【解決手段】  断面略Ｕ字状に形成された下側カバー１１の下側の端部がルームミラー１の取付基台部１２に位置決め固定されると共に上側カバー２１の上側の端部に形成された当接面２１ｃがルーフトリム４の先端縁部に対し突き当てられ、係合用突起２１ｄがルーフトリム４の先端縁部に係止されると共に、ハーネス５をルーフトリム４に対し位置決め固定し、上側カバー２１の上端部付近をハーネス５に対し位置決め固定することにより、該ハーネスカバー２の上側の端部がルーフトリム４に対し位置決め固定された構造。【選択図】        図１
2006192978.tif 000002
【特許請求の範囲】
【請求項１】
断面略Ｕ字状に形成されたルームミラー用ハーネスカバーの下側の端部がルームミラーの取付基台部に位置決め固定されると共に上側の端部がルーフトリムの先端縁部に対し突き当てられ、
前記ハーネスをルーフトリムに対し位置決め固定し前記ハーネスカバーの上側の端部付近を前記ハーネスに対し位置決め固定することにより該ハーネスカバーの上側の端部が前記ルーフトリムに対し位置決め固定されていることを特徴とするルームミラー用ハーネスカバーの取り付け構造。
【請求項２】
前記ルーフトリムに対する前記ハーネスの位置決め固定はルーフトリム上面に対し粘着テープで貼り付けることで行なわれていることを特徴とする請求項１に記載のルームミラー用ハーネスカバーの取り付け構造。
【請求項３】
前記ハーネスに対する前記ハーネスカバーの位置決め固定が、該ハーネスカバーの内面にその外面が当接すると共にその内面が前記ハーネスの外面に直接的又は間接的に当接する弾性中空体を介装させることで行なわれていることを特徴とする請求項１または２に記載のルームミラー用ハーネスカバーの取り付け構造。
【請求項４】
前記弾性中空体がフロントウインドガラスの内面に押し付けられることで該弾性中空体の外面が前記ハーネスカバーの内面に対し当接されるように構成されていることを特徴とする請求項３に記載のルームミラー用ハーネスカバーの取り付け構造。
【請求項５】
断面略Ｕ字状をなした前記ハーネスカバーの内面に接する円の直径より前記弾性中空体の外径が大径に形成され、
該弾性中空体がフロントウインドガラスの内面に押し付けられることで該弾性中空体が前記ハーネスカバーの内面に対し強く当接されるように構成されていることを特徴とする請求項３に記載のルームミラー用ハーネスカバーの取り付け構造。
【発明の詳細な説明】
【技術分野】
【０００１】
本発明は、ルームミラー用ハーネスカバーの取り付け構造に関する。
【背景技術】
【０００２】
従来、フロントウインドガラスに直接取り付けられるタイプのルームミラーで、該ルームミラー内にモニターや、インテリゼントキー用アンテナ等の電装品が組み込まれているものにおいては、ルーフトリム側からルームミラーに向けてハーネスが配線されることになる（例えば、特許文献１参照）。
【０００３】
ところが、フロントウインドガラスに直接取り付けられるタイプのルームミラーにあっては、ルームミラーにハーネスを通すアーム部が存在しないため、ハーネスが露出したままでは見栄えが悪く、このため、カバーで隠すことが望ましい。
【０００４】
そこで、このハーネスをハーネスカバーで隠すためには、該ハーネスカバーの下側の端部をルームミラーの取付基部に対し位置決め固定し、上側の端部はルーフトリム側に固定手段がないため、単にルーフトリムに突き当てた状態とすることが考えられる。
【０００５】
【特許文献１】特開２００２−１２０６４９
【発明の開示】
【発明が解決しようとする課題】
【０００６】
しかしながら、ハーネスカバーの上側の端部をルーフトリムに単に突き当てただけでは、位置決め固定されず、このため振動等でハーネスカバーが揺れ動くという問題がある。
【０００７】
もっとも、ハーネスカバーの内径をハーネスの外形に合わせて隙間がない状態にしておけば、ハーネスの動きの範囲に抑えることが可能であるが、ハーネスの外形が異なる複数車種の共用部品として汎用性を持たせるためには、ハーネスカバーの内径を大きめに設定しておくことが望ましく、そうすると、ハーネスが細い車種では以上のような問題が生じる。
【０００８】
本発明は、上述のような従来の問題点に着目して成されたもので、ハーネスカバー部品の汎用性を確保しつつ、ハーネスカバーの上側の端部をルーフトリムに単に突き当てた構造でも、ルーフトリムに対し位置決め固定させることができるルームミラー用ハーネスカバーの取り付け構造を提供することを目的としている。
【課題を解決するための手段】
【０００９】
上述の目的を達成するために、本願請求項１に記載のルームミラー用ハーネスカバーの取り付け構造は、断面略Ｕ字状に形成されたルームミラー用ハーネスカバーの下側の端部がルームミラーの取付基台部に位置決め固定されると共に上側の端部がルーフトリムの先端縁部に対し突き当てられ、前記ハーネスをルーフトリムに対し位置決め固定し前記ハーネスカバーの上側の端部付近を前記ハーネスに対し位置決め固定することにより該ハーネスカバーの上側の端部が前記ルーフトリムに対し位置決め固定されていることを特徴とする手段とした。
【００１０】
また、請求項２に記載のルームミラー用ハーネスカバーの取り付け構造は、請求項１に記載のルームミラー用ハーネスカバーの取り付け構造において、前記ルーフトリムに対する前記ハーネスの位置決め固定はルーフトリム上面に対し粘着テープで貼り付けることで行なわれていることを特徴とする手段とした。
【００１１】
また、請求項３に記載のルームミラー用ハーネスカバーの取り付け構造は、請求項１または２に記載のルームミラー用ハーネスカバーの取り付け構造において、前記ハーネスに対する前記ハーネスカバーの位置決め固定が、該ハーネスカバーの内面にその外面が当接すると共にその内面が前記ハーネスの外面に直接的又は間接的に当接する弾性中空体を介装させることで行なわれていることを特徴とする手段とした。
【００１２】
また、請求項４に記載のルームミラー用ハーネスカバーの取り付け構造は、請求項３に記載のルームミラー用ハーネスカバーの取り付け構造において、前記弾性中空体がフロントウインドガラスの内面に押し付けられることで該弾性中空体の外面が前記ハーネスカバーの内面に対し当接されるように構成されていることを特徴とする手段とした。
【００１３】
また、請求項５に記載のルームミラー用ハーネスカバーの取り付け構造は、請求項３に記載のルームミラー用ハーネスカバーの取り付け構造において、断面略Ｕ字状をなした前記ハーネスカバーの内面に接する円の直径より前記弾性中空体の外径が大径に形成され、該弾性中空体がフロントウインドガラスの内面に押し付けられることで該弾性中空体が前記ハーネスカバーの内面に対し強く当接されるように構成されていることを特徴とする手段とした。
【発明の効果】
【００１４】
請求項１に記載のルームミラー用ハーネスカバーの取り付け構造では、上述のように、断面略Ｕ字状に形成されたルームミラー用ハーネスカバーの下側の端部がルームミラーの取付基台部に位置決め固定されると共に上側の端部がルーフトリムの先端縁部に対し突き当てられ、ハーネスをルーフトリムに対し位置決め固定しハーネスカバーの上側の端部付近をハーネスに対し位置決め固定することにより該ハーネスカバーの上側の端部がルーフトリムに対し位置決め固定された構造とすることにより、ハーネスカバー部品の汎用性を確保しつつ、ハーネスカバーの上側の端部をルーフトリムに単に突き当てた構造でも、ルーフトリムに対し位置決め固定させることができる。
従って、ルーフトリム側とルームミラーの端部に特別な位置決め構造を設ける必要がなくなるため、構造の簡略化とハーネスカバー部品の汎用性によりコストを低減することができるようになるという効果が得られる。
【００１５】
また、請求項２に記載のルームミラー用ハーネスカバーの取り付け構造では、上述のように、前記ルーフトリムに対する前記ハーネスの位置決め固定はルーフトリム上面に対し粘着テープで貼り付けることで行なわれることにより、特別な構造を備えることなしに位置決め固定することができると共に、作業性を高めることができるようになる。
【００１６】
また、請求項３に記載のルームミラー用ハーネスカバーの取り付け構造では、上述のように、前記ハーネスに対する前記ハーネスカバーの位置決め固定が、該ハーネスカバーの内面にその外面が当接すると共にその内面がハーネスの外面に直接的又は間接的に当接する弾性中空体を介装させることで行なわれるようにしたことで、ハーネスカバー側に特別な位置決め固定構造を備える必要がないと共に、車種により異なるハーネスの外径に応じて弾性中空体のみを準備すれば足りるため、ハーネスカバーの汎用性が高められ、これにより、コストの低減化が可能となる。
【００１７】
また、請求項４に記載のルームミラー用ハーネスカバーの取り付け構造では、上述のように、前記弾性中空体がフロントウインドガラスの内面に押し付けられることで該弾性中空体の外面がハーネスカバーの内面に対し当接されるように構成されることにより、ハーネスカバーと弾性中空体との間の位置決め固定を確実に行なうことができるようになる。
【００１８】
また、請求項５に記載のルームミラー用ハーネスカバーの取り付け構造では、上述のように、断面略Ｕ字状をなしたハーネスカバーの内面に接する円の直径より弾性中空体の外径が大径に形成され、該弾性中空体がフロントウインドガラスの内面に押し付けられることで該弾性中空体がハーネスカバーの内面に対し強く当接されるように構成されることにより、ハーネスカバーと弾性中空体との間の位置決め固定を確実に行なうことができるようになる。
【発明を実施するための最良の形態】
【００１９】
以下に、本発明の実施例を図面に基づいて説明する。
【実施例１】
【００２０】
この実施例１のルームミラー用ハーネスカバーの取り付け構造は、請求項１  に記載の発明に対応する。
図１はこの実施例１のルームミラー用ハーネスカバーの取り付け構造を示す全体正面図、図２は図１の中央縦断面図、図３は図２のＡ−Ａ線における縦断面図、図４は図２のＢ−Ｂ線における縦断面図、図５は図２のＣ−Ｃ線における縦断面図、図６はハーネスカバーの上側の端部を示す斜視図であり、図において、１はルームミラー、２はハーネスカバー、３はフロントウインドガラス、４はルーフトリム、５はハーネス、６は弾性中空体、７は粘着テープを示す。
【００２１】
上記ルームミラー１は、フロントウインドガラス３に直接取り付けられるタイプのもので、フロントウインドガラス３に予め接着固定された固定用ホルダー１１に対し、取付基台部１２を上方から差込係合させることによりルームミラー１の取り付けが行なわれている。
【００２２】
また、このルームミラー１のミラー本体部１３内には図示を省略したインテリゼントキー用アンテナ等の電装品が組み込まれていて、この電装品への電源線や信号線で構成されるハーネス５がミラー本体部１３の裏面側から引き出され、ルーフトリム４方向へ配線されるようになっており、このため、ルーフトリム４の先端縁部には、ハーネス５を挿通可能な断面略Ｕ字状の切欠部４１が形成されている。
なお、上記ミラー本体部１３と固定ホルダー１１との間がアーム１４を介して回動自在に接続されることにより、ミラー本体部１３の位置および方向調整が行なえるようになっている。
【００２３】
上記ハーネスカバー２は、上記ハーネス５における固定ホルダー１１部分からルーフトリム４の先端縁部に至るまでの間を隠す役目をなすもので、断面が略Ｕ字状で、その長手方向に伸縮自在に装着可能な上下一対のカバー２１、２２で構成されている。そして、上側カバー２１に対し下側カバー２２が一回り小さく形成されている。
【００２４】
なお、図５において、２１ａは上側カバー２１の左右両側壁内面にその長手方向に沿って形成されたスライド係合溝、２２ａは下側カバー２２の左右両側壁外面に長手方向に沿って形成されたスライド係合突条であり、このスライド係合突条２２ａがスライド係合溝２１ａに装着されることで、上側カバー２１と下側カバー２２とが伸縮自在に組み付けられるようになっている。また、図２に示すように、上側カバー２１の外面と、下側カバー２２の内面には、互いに係合することにより任意の位置で位置決め可能な凹凸２１ｂ、２２ｂが形成されていて、所定の長さ状態で位置決め固定されるようになっている。
【００２５】
下側カバー２２の下端には、図１に示すように、取付基台部１２に形成された左右一対の係合爪１２ａに対しそれぞれ係合する左右一対の係合爪２２ｃが形成されていて、この両係合爪２２ｃを上方から両係合爪１２ａに差し込んで係合させることにより、下側カバー２２の下端が取付基台部１２に対し位置決め固定されるようになっている。
【００２６】
上側カバー２１の上端には、図６にその詳細を示すように、突き当てるための当接面２１ｃが形成されると共に、左右両側壁上端部には長手方向へ係止突起２１ｄが突出形成されていて、この両係止突起２１ｄをルーフトリム４の先端縁部に当接係止させた状態で当接面２１ｃをルーフトリム４の先端縁部に突き当てた状態とすることにより、上側カバー２１の上端側がリーフトリム４の先端縁部に対し上下方向において位置決めされた状態となる。
【００２７】
上記弾性中空体６は、ハーネス５と上側カバー２１との間の隙間を埋めることにより、ハーネス５に対し上側カバー２１を位置決め固定する役目をなすもので、上側カバー２１内において、ハーネス５の外周に装着されている。この弾性中空体６は、柔軟で肉厚のパイプ状に形成されていて、その外径を断面略Ｕ字状をなした上側カバー２１の内面に接する円の直径より大径に形成され、該弾性中空体６をフロントウインドガラス３の内面に押し付けて少し潰れた状態とすることにより、該弾性中空体６が上側カバー２１の内面に対し強く当接された状態に組み込まれている。
【００２８】
そして、弾性中空体６の両端開口部に図示を省略したテープを強く巻き付けて絞ることにより、弾性中空体６の内面がハーネス５の外面に直接的に又はテープを介して間接的に当接させ、これにより、上側カバー２１がハーネス５に対し位置決め固定された状態となっている。
【００２９】
また、ルーフトリム４の先端縁部に形成された断面略Ｕ字状の切欠部４１から挿通したハーネス５の上部側は、ルーフトリム４の上面に粘着テープ７で貼り付けることにより、ルーフトリム４に対するハーネス５の位置決め固定がなされ、これにより、上側カバー２１の上側の端部が弾性中空体６及びハーネス５を介してルーフトリム４に対し位置決め固定された状態となっている。
【００３０】
次に、実施例１の作用・効果について説明する。
この実施例１のルームミラー用ハーネスカバーの取り付け構造では、上述のように、断面略Ｕ字状に形成された下側カバー１１の下側の端部がルームミラー１の取付基台部１２に位置決め固定されると共に上側カバー２１の上側の端部に形成された当接面２１ｃがルーフトリム４の先端縁部に対し突き当てられ、係合用突起２１ｄがルーフトリム４の先端縁部に係止されると共に、ハーネス５をルーフトリム４に対し位置決め固定し、上側カバー２１の上端部付近をハーネス５に対し位置決め固定することにより、該ハーネスカバー２の上側の端部がルーフトリム４に対し位置決め固定された構造とすることにより、ハーネスカバー２の汎用性を確保しつつ、ハーネスカバー２の上側の端部をルーフトリム４に単に突き当てた構造でも、ルーフトリム４に対し位置決め固定させることができるようになる。
従って、ルーフトリム４側とルームミラー１の端部に特別な位置決め構造を設ける必要がなくなるため、構造の簡略化とハーネスカバー２の汎用性によりコストを低減することができるようになるという効果が得られる。
【００３１】
また、ルーフトリム４の上面に対し粘着テープ７で貼り付けることによってルーフトリム４に対するハーネス５の位置決め固定するようにしたことで、特別な構造を備えることなしに位置決め固定することができると共に、作業性を高めることができるようになる。
【００３２】
また、上側カバー２１の内面にその外面が当接すると共にその内面がハーネス５の外面に直接的に又は間接的に当接する弾性中空体６を介装させることによってハーネス５に対する上側カバー２１の位置決めを行なうようにしたことで、ハーネスカバー２側に特別な位置決め固定構造を備える必要がないと共に、車種により異なるハーネス５の外径に応じて弾性中空体６のみを準備すれば足りるため、ハーネスカバー２の汎用性が高められ、これにより、コストの低減化が可能となる。
【００３３】
また、弾性中空体６がフロントウインドガラス３の内面に押し付けられることで該弾性中空体６の外面が上側カバー２１の内面に対し当接されるように構成したことで、上側カバー２１と弾性中空体６との間の位置決め固定を確実に行なうことができるようになる。
【００３４】
また、断面略Ｕ字状をなした上側カバー２１の内面に接する円の直径より弾性中空体６の外径が大径に形成され、該弾性中空体６がフロントウインドガラス３の内面に押し付けられることで該弾性中空体６が上側カバー２１の内面に対し強く当接されるようにしたことで、上側カバー２１と弾性中空体６との間の位置決め固定を確実に行なうことができるようになる。
【００３５】
また、ハーネスカバー２がその長手方向に伸縮自在に装着可能な上下一対のカバー２１、２２で構成されることにより、寸法誤差や異なった仕様にも全て対応させ、上側カバー２１の当接面２１ｃをルーフトリム４の先端縁部に確実に突き当てた状態で位置決め固定させることができるようになる。
【００３６】
また、上側カバー２１の外面と、下側カバー２２の内面には、互いに係合することにより任意の位置で位置決め可能な凹凸２１ｂ、２２ｂが形成されることにより、所定の長さ状態で位置決め固定することができるようになる。
【００３７】
以上、本発明の実施例を図面に基づき説明してきたが、本発明は上述の実施例に限られるものではなく、本発明の要旨を逸脱しない範囲の設計変更等があっても、本発明に含まれる。
例えば、実施例では、弾性中空体６の両端開口部に図示を省略したテープを強く巻き付けて絞ることにより、弾性中空体６の内面がハーネス５の外面に直接的に又はテープを介して間接的に当接させるようにしたが、テープ以外の手段を用いることができる。
また、実施例では、粘着テープ７で貼り付けることによってルーフトリム４に対するハーネス５の位置決め固定するようにしたが、その他の固定手段、たとえば接着剤を用いるようにしてもよい。
【図面の簡単な説明】
【００３８】
【図１】実施例１のルームミラー用ハーネスカバーの取り付け構造を示す全体正面図である。
【図２】図１の中央縦断面図である。
【図３】図２のＡ−Ａ線における縦断面図である。
【図４】図２のＢ−Ｂ線における縦断面図である。
【図５】図２のＣ−Ｃ線における縦断面図である。
【図６】ハーネスカバーの上側の端部を示す斜視図である。
【符号の説明】
【００３９】
１  ルームミラー
１１  固定用ホルダー
１２  取付基台部
１２ａ  係合爪
１３  ミラー本体部
２  ハーネスカバー
２１  上側カバー（ハーネスカバー）
２１ａ  スライド係合溝
２１ｂ  凹凸
２１ｃ  当接面
２１ｄ  係合用突起
２２  下側カバー（ハーネスカバー）
２２ａ  スライド係合突条
２２ｂ  凹凸
２２ｃ  係合爪
３  フロントウインドガラス
４  ルーフトリム
４１  切欠部
５  ハーネス
６  弾性中空体
７  粘着テープ
【図１】
2006192978.tif 000003
【図２】
2006192978.tif 000004
【図３】
2006192978.tif 000005
【図４】
2006192978.tif 000006
【図５】
2006192978.tif 000007
【図６】
2006192978.tif 000008